(57)【要約】【課題】ディジタルアーカイブのような膨大なマルチメディアを効率的に管理することにある。【解決手段】タイムコードを含む動画像データ及び音声データを記録する記録手段１０１と、動画像データ及び音声データのデータ識別子からなる画像オブジェクトと動画像データまたは音声データの区間を表す時刻データを持つ区間オブジェクトとを記録するオブジェクト記録手段１０２と、画像オブジェクトと区間オブジェクトの識別子に対する属性名と属性値からなる属性を記録する属性記録手段１０３と、属性名と属性値が与えられたとき、該属性名に対する属性値を含む画像オブジェクト及び区間オブジェクト識別子を属性記録手段１０３から検索するデータ検索手段１０４と、このデータ検索手段により検索された画像オブジェクト及び区間オブジェクトから参照される動画像データを出力する出力手段１０５とを備える。【選択図】    図１
2004326166.tif 000002
【特許請求の範囲】
【請求項１】
タイムコードを含む動画像データ及びタイムコードを含む音声データを記録する記録手段と、
この記録手段に記録された動画像データ及び音声データのデータ識別子からなる画像オブジェクトと動画像データまたは音声データの区間を表す時刻データを持つ区間オブジェクトとを記録するオブジェクト記録手段と、
前記画像オブジェクトと前記区間オブジェクトの識別子に対する属性名と属性値からなる属性を記録する属性記録手段と、
前記属性名と属性値が与えられたとき、前記属性記録手段に記録された該属性名に対する属性値を検索して該属性値に対応する区間オブジェクトの識別子を得、前記オブジェクト記録手段を検索して前記区間オブジェクトの識別子に対応する画像オブジェクトの識別子を得るデータ検索手段と、
このデータ検索手段により検索された画像オブジェクト及び区間オブジェクトの識別子から参照される動画像データを前記記録手段より前記タイムコードに合せて読み出しながら出力する出力手段と、
を備えたことを特徴とするマルチメディアデータ管理装置。
【請求項２】
請求項１記載のマルチメディアデータ管理装置において、
前記属性記録手段は、区間オブジェクトの表す動画像データの区間に代表的な静止画像を記録する静止画像データの識別子を属性値として含み、
前記データ検索手段は、検索結果が複数個ある場合、該静止画像データの識別子を経て該代表的な静止画像をメニューとして出力することを特徴とするマルチメディアデータ管理装置。
【請求項３】
請求項１記載のマルチメディアデータ管理装置において、
前記属性記録手段は、区間オブジェクトの表す動画像データの区間に代表的な短い動画像を記録する短動画像データの識別子を属性として含み、
前記データ検索手段は、検索結果が複数個ある場合、前記短動画像データ識別子を経て該代表的な短動画像をメニューとして出力することを特徴とするマルチメディアデータ管理装置。
【請求項４】
請求項２又は請求項３記載のマルチメディアデータ管理装置において、
前記記録手段を前記出力手段に代えて専用のネットワークを介して複数個の表示装置に接続する構成として、
前記動画像データを前記各表示装置間の共有ファイルシステムデータとして管理するようにしたことを特徴とするマルチメディアデータ管理装置。
【請求項５】
請求項１又は請求項４記載のマルチメディアデータ管理装置において、
新しい属性を定義すると共に、該属性の値が特定値を取る時刻の区間に対応する区間オブジェクトを定義し、該新たに定義された属性及び新たに定義された区間オブジェクトを前記属性記録手段及び前記区間オブジェクト記録手段にそれぞれ記録する情報入力手段を設けたことを特徴とするマルチメディアデータ管理装置。
【請求項６】
請求項１乃至請求項３の何れかに記載のマルチメディアデータ管理装置において、
前記検索された区間オブジェクトの列を記録する区間オブジェクト記録手段を設け、
前記出力手段は該区間オブジェクト記録手段に記録された区間オブジェクトの列から、時刻の重複を排除して動画像データを出力することを特徴とするマルチメディアデータ管理装置。
【請求項７】
請求項１記載のマルチメディアデータ管理装置において、
前記オブジェクト記録手段は、記録時刻の同期した複数個の画像オブジェクトからなる同期オブジェクトと、この同期オブジェクトの時刻の区間を表す区間オブジェクトを記録し、
前記データ検索手段は同期オブジェクトと区間オブジェクトを検索し、
前記出力手段は同期オブジェクトを構成する複数個の画像オブジェクトから参照される画像データを区間オブジェクトの区間に従って出力することを特徴とするマルチメディアデータ管理装置。
【発明の詳細な説明】
【０００１】
【発明の属する技術分野】
本発明は、動画像データ、音声データを記録管理するマルチメディアデータ管理装置に関する。
【０００２】
【従来の技術】
動画像データ、音声データのような所謂マルチメディアデータは、数秒から数時間の動画像あるいは音声が記録されている。これらのデータは、キーワード、静止画像、ビデオクリップなどの様々な方法で検索され、ランダムにアクセスされることが求められている。
【０００３】
このような要求に応えるため、一般にこれらのマルチメディアデータは一つのファイルではなく、階層的に構成された複数のファイルに分割されて記録されている。
【０００４】
図１２は、ＤＶＤが動画像を記録する際の論理的なデータ構造を示している。
【０００５】
図１２において、データの先頭には、再生制御のためのビデオマネージャ情報（ＶＭＧ）が置かれる。このビデオマネージャ情報は、メニュー用のビデオオブジェクト、再生順序を指定するプログラムチェーン情報テーブル、タイトルサーチポインタ（後述するビデオタイトルセットの番号とビデオタイトルセット内におけるタイトル番号）を含む。
【０００６】
ビデオマネージャ情報（ＶＭＧ）の後に複数個のビデオタイトルセット（ＶＴＳ）が続く。それぞれのビデオタイトルセットは、制御情報（ＶＴＳＩ）、複数個のビデオオブジェクト（ＶＯＢ）、制御情報のバックアップ（ＶＴＳＩ  ｂａｃｋｕｐ）からなる。ビデオオブジェクトは、ビデオ、オーディオ、サブピクチャ、ナビゲーションからなり、ＤＶＤにおけるデータの本体である。
【０００７】
ＤＶＤは、このような構造を採用しているため、ビデオマネージャ情報（ＶＭＧ）を読むことによって、メニューをビデオとして表示し、これを選択することでタイトルサーチポインタを使ってビデオタイトルセット（ＶＴＳ）内のタイトルを再生することができる。
【０００８】
また、ツリー状、すなわち階層的なデータ構造を採用したものとして、階層的なデータ構造の中に動画像中に現れる登場人物名などの検索用の属性情報を記述し、登場人物をキーに動画像の検索を可能にしたものがある（例えば、特許文献１参照）。
【０００９】
このように階層的なデータ構造は、グループ化されたマルチメディア情報を管理するために、データの種類、動画像のサイズ、圧縮方式、インデックス情報等再生に必要な情報を一体に管理できる方式である。
【００１０】
【特許文献１】
特許第３２０８１１６号明細書
【００１１】
【発明が解決しようとする課題】
しかしながら、このマルチメディアデータ管理装置においては、ビデオアーカイブシステムのようなより大量のマルチメディア情報を扱う場合、次のような問題がある。
【００１２】
例えば、映画のアーカイシブシステム、演劇を記録したアーカイシブシステム、あるいはスポーツの試合のアーカイシブシステムでは、それぞれが２時間程度の動画像が数百から数千となることは十分考えられる。
【００１３】
動画像の数が５０００個とすると、５０００個の階層的な管理用データが用いられる。ＤＶＤの場合は、動画像の一つの管理用データが一枚のＤＶＤに対応する。これをＲＡＩＤディスク等にコピーし一元管理しても、管理用データの数は同じである。
【００１４】
このような大量の管理用データは、それぞれが階層的に構成されてはいるが、登場人物をキーとして検索する場合は、階層構造そのものは検索の助けとならない。そのため、管理用データ全体を線形に検索しなければならないため、迅速な検索ができず、効率の悪いものとなる。
【００１５】
本発明は上記のような事情に鑑みてなされたもので、ディジタルアーカイブのような膨大なマルチメディアを効率的に管理することができるマルチメディアデータ管理装置を提供することを目的とする。
【００１６】
【課題を解決するための手段】
本発明は上記の目的を達成するため、次のような手段によりマルチメディアデータ管理装置を構成する。
【００１７】
本発明は、タイムコードを含む動画像データ及びタイムコードを含む音声データを記録する記録手段と、この記録手段に記録された動画像データ及び音声データのデータ識別子からなる画像オブジェクトと動画像データまたは音声データの区間を表す時刻データを持つ区間オブジェクトとを記録するオブジェクト記録手段と、画像オブジェクトと区間オブジェクトの識別子に対する属性名と属性値からなる属性を記録する属性記録手段と、属性名と属性値が与えられたとき、属性記録手段より属性名に対する属性値を検索して区間オブジェクトの識別子を得、この区間オブジェクトの識別子に対応する画像オブジェクトの識別子をオブジェクト記録手段から検索するデータ検索手段と、この検索手段により検索された画像オブジェクト及び区間オブジェクトの識別子から参照される動画像データを前記記録手段よりタイムコードに合せて読み出しながら出力する出力手段とを備える。
【００１８】
【発明の実施の形態】
以下本発明の実施の形態を図面を参照して説明する。
【００１９】
図１は本発明によるマルチメディアデータ管理装置の第１の実施形態を示すブロック図である。
【００２０】
図１において、１０１は動画像データ、音声データを記録する記録手段で、この記録手段１０１はハードディスクあるいはＲＡＩＤシステムによって実現される。この記録手段１０１に動画像データ、音声データを記録するにあたっては、データを一意に識別するためのデータ識別子としてパス名、あるいはＵＲＬ（Ｕｎｉｖｅｒｓａｌ  Ｒｅｓｏｕｒｃｅ  Ｌｏｃａｔｏｒ）が使われる。
【００２１】
この場合、動画像データ及び音声データは、再生時に先頭からの経過時間を示すタイムコードが画像フレームあるいは音声データと一緒に記録されている。なお、動画像データは音声データを含む場合もあるため、以下すべて動画像データとして扱う。
【００２２】
１０２はオブジェクト記録手段であり、このオブジェクト記録手段１０２には動画像データを管理するための画像オブジェクトと、動画像データの区間を表す区間オブジェクトとが記録される。
【００２３】
ここで、動画像データ、画像オブジェクト、区間オブジェクトの関連を図２により説明する。
【００２４】
図２において、２０１は動画像データで、この動画像データ２０１は０秒から動画像の終りの時刻までの連続した画像の集合である。
【００２５】
また、２０２は画像オブジェクトで、この画像オブジェクト２０２はオブジェクトの種類を区別するためのＣｌａｓｓ、オブジェクトを一意に識別するためのＯｂｊｅｃｔＩＤ、対応する動画像データを説明するためのタイトル、動画像データのフォーマット、動画像データのデータ識別子から構成される。
【００２６】
上記画像オブジェクト２０２は、データ識別子を必ず持ち、動画像データに一対一で対応しており、この画像オブジェクト２０２の例では、ＯｂｊｅｃｔＩＤは３３４４、タイトルＡＡＡ、フォーマットＭＰＥＧ−４、データ識別子は／ｍｏｖ／ａａａ．ｍ４ｖである。
【００２７】
２０３，２０４，２０５は区間オブジェクトで、これらの区間オブジェクト２０３〜２０５は動画像データの先頭からの経過時刻によって表した動画像の区間が記録されている。すなわち、区間オブジェクト２０３〜２０５にはオブジェクトの種類を表すＣｌａｓｓ、当該区間オブジェクトが属する画像オブジェクトを識別するためのＰａｒｔ−ｏｆ、ＯｂｊｅｃｔＩＤ、区間の最初の時刻と最後の時刻を秒で表すＳｔａｒｔとＥｎｄが含まれている。
【００２８】
これら画像オブジェクト２０２及び区間オブジェクト２０３〜２０５は、動画像データに付随するオブジェクトであり、アーカイブから動画像データと共に切り出すことができる。
【００２９】
なお、動画像データ、画像オブジェクトが同一のファイルシステムに保存される場合には、データの識別子を相対的なパスとすることで、アーカイブから切り出しても、ファイルシステムの部分的な構造を保っていれば、画像オブジェクト及び区間オブジェクトの内容を変更する必要はない。
【００３０】
図１において、１０３は属性記録手段で、この属性記録手段１０３は画像オブジェクトと区間オブジェクトの識別子をキーとし、属性をテーブルとして記録する。図３は属性記録手段のテーブルを表す。
【００３１】
図３（ａ）で、ＯｂｊｅｃｔＩＤ  ３３４４−１は属性１に対して、属性値Ｘを取る。ここで、属性１は例えば区間オブジェクト３３４４−１に対応する動画像に現れる登場人物であり、属性値Ｘは登場人物の名前である。
【００３２】
このような属性は、登場人物以外に撮影場所、時代、動画像に現れる建物、風景などがあり、アーカイブの発展に伴って増えることが予想される。この属性記録手段１０３は、リレーショナルデータベースに従って、属性が増えた場合にはその属性の数に応じてテーブル数を増やすことで柔軟に対応できるようになっている。
【００３３】
また、図１において、１０４はデータ検索手段であり、このデータ検索手段１０４に属性名と属性値として、例えば属性２とＢが図示しない入力手段より与えられたとき、属性記録手段１０３の図３（ｂ）に示すテーブルから属性２に対応する属性値Ｂを取るレコードを検索し、ＯｂｊｅｃｔＩＤ  ３３４４−１，５５０１−１，５５０１−３を得る。これらは区間オブジェクトの識別子であるから、対応する区間オブジェクトの識別子から画像オブジェクトを得る。例えば区間オブジェクト３３４４−１はオブジェクト記録手段１０２に記録されている画像オブジェクト３３４４の０から１５３秒までの区間オブジェクトの動画像を表し、この画像オブジェクトは対応する動画像データがデータ識別子／ｍｏｖ／ａａａ．ｍ４ｖにあることを示す。他の区間オブジェクト５５０１−１，５５０１−３についても前述と同様である。
【００３４】
上記データ検索手段１０４は、複数個の属性名、属性値がセットで与えられ、これらの間の論理関係を用いて検索できることは言うまでもない。
【００３５】
１０５はストリーミンクサーバ等からなる出力手段で、この出力手段１０５はデータ検索手段１０４で検索された画像オブジェクト及び区間オブジェクトの識別子から参照される動画像データ、区間オブジェクトに指定された区間の動画像データを記録手段より読み出して出力する。この場合、動画像データには、既に説明したように動画像及び音声に沿ってタイムコードが記録されているため、区間に含まれる動画像フレームをタイムコードに合せて読み出すことができる。
【００３６】
この出力手段１０５よりタイムコードに合せて少しずつ読出しながら出力されるデータは、パーソナルコンピュータ（ＰＣ）にインターネットを介して送られる。
【００３７】
このように第１の実施形態では、マルチメディアデータを管理する上で検索にはあまり用いられることのないデータ固有の属性をオブジェクトとし、検索によく使われる属性をテーブルによって管理するようにしたので、リレーショナルデータベースが使用でき、高速な検索とデータの更新が可能である。
【００３８】
このことにより、ディジタルアーカイブのような膨大なマルチメディアを効率良く管理することができる。
【００３９】
次に本発明の第２の実施形態について説明する。
【００４０】
図１に示す実施形態において、データ検索手段１０４では、一般に一個以上の区間オブジェクトが見つかることがある。従って、二個以上の区間オブジェクトが検索されたとき、どの画像データを出力すべきか否かを決める必要がある。
【００４１】
しかしながら、一般に動画像データの場合、属性による検索方式は目的とするデータを検索する上で限界がある。
【００４２】
そこで、動画像データの時間区間における代表的な静止画像、あるいは同じく数秒程度の短い動画像（ビデオクリップ）をオブジェクト記録手段１０２の各区間オブジェクトに別途記録する。
【００４３】
データ検索手段１０４は、属性の検索結果、複数の区間オブジェクトが見つかった場合、各区間オブジェクトに記録されている静止画像データ、または短動画像データを基に、これら静止画像データ、または短動画像データを動画像の識別子と共に出力する。
【００４４】
このデータ検索手段１０４より動画像データの識別子と共に出力された静止画像データ、または短動画像データが出力手段１０５に取り込まれると、出力手段１０５はこれら静止画像データ、または短動画像データ及び動画像データの識別子をインターネットで接続されたＰＣに送り、ＰＣ上でメニューとして表示する。図４は表示されるメニュー画面の一例を示すものである。
【００４５】
図４において、４０１は外枠であり、４０２〜４０８が表示される静止画像あるいは短動画像である。なお、短動画像をメニューとして表示する場合は、再生を繰返す。
【００４６】
また、表示された静止画像または短動画像を選択することで、ＰＣ上でデータの識別子が選択され、データ出力手段１０５はＰＣより送り返されてきた識別子を基に記録手段１０１より該当する動画像データを取出してＰＣに出力する。
【００４７】
このように本発明の第２の実施形態では、オブジェクト記録手段１０２に動画像データの時間区間における代表的な静止画像、あるいは同じく数秒程度の短い動画像（ビデオクリップ）を別途記録しておき、且つ属性記録手段１０３に動画像データの区間オブジェクトに代表的な静止画像または短動画像を記録する識別子を属性値として含ませることにより、検索の結果複数個の区間オブジェクトがある場合、該静止画像データまたは短画像データを動画像データの識別子と共にメニューとして出力するようにしたので、二個以上の区間オブジェクトが検索されても、ＰＣ上からどの画像データを出力すべきかを指定することが可能となり、記録手段１０１より目的とする画像データを読み出すことができる。
【００４８】
上記実施形態では、オブジェクト記録手段１０２の各区間オブジェクトに代表的な静止画像、あるいは同じく数秒程度の短い動画像を記録するようにしたが、記録手段１０１に静止画像、あるいは同じく数秒程度の短い動画像を別途記録し且つオブジェクト記録手段１０２の各区間オブジェクトにその静止画像あるいは短動画像データの識別子を対象となる属性及び属性値と関連付けて記録して、複数の区間オブジェクトが見つかった場合には各区間オブジェクトに記録されている静止画像、または短動画像データの識別子で対象となる属性及び属性値と関連しているものを基に、これらの静止画像、または短動画像データを出力するようにしても良い。
【００４９】
図５は本発明によるマルチメディアデータ管理装置の第３の実施形態を示すブロック図で、図１と同一部分には同一符号を付してその説明を省略し、ここでは異なる部分について述べる。
【００５０】
第３の実施形態では、前述した第２の実施形態を実現するにあたり、記録手段１０１として、ネットワーク上に共有ファイルを実現するファイルサーバを用いるようにしたものである。この記録手段１０１は、専用のネットワークスイッチ５０１を経由して、ファイル共有機能と画像データ再生機能を持つＰＣの表示手段５０２，５０３，５０４に接続される。
【００５１】
ネットワークスイッチ５０１は、具体的には１００Ｍｂｐｓあるいは１Ｇｂｐｓのイーサネットスイッチである。
【００５２】
また、データ検索手段１０４の入力としては、画像オブジェクト及び区間オブジェクトの識別子として、記録手段１０１上のファイルのパス名が用いられる。ここで、パス名とは階層構造を持ったファイルシステムで、ファイルを一意的に識別するためのものである。
【００５３】
このような構成のマルチメディア管理装置とすれば、表示手段５０２，５０３，５０４の何れかからでも、専用のネットワークスイッチ５０１を経由してデータ検索手段１０４に画像オブジェクト及び区間オブジェクトの識別子であるパス名を入力するだけでどの画像データを出力すべきかが指定され、記録手段１０１より目的とする画像データを直接取り出して表示することができるので、出力手段を用いずに第２の実施形態と同様の作用効果を得ることができる。
【００５４】
図６は本発明によるマルチメディアデータ管理装置の第４の実施形態を示すブロック図で、図１と同一部分には同一符号を付してその説明を省略し、ここでは異なる部分について述べる。
【００５５】
第４の実施形態では、属性記録手段１０３及びオブジェクト記録手段１０２にそれぞれ新しい属性及び区間オブジェクトを生成するための情報入力手段６０１を設けるようにしたものである。
【００５６】
図７は、情報入力手段６０１のユーザインターフェースの画面を示すものである。図７において、７０１は動画像データ表示部であり、この動画像データ表示部７０１には、記録手段１０１から取り出される指定された動画像データが再生表示される。この再生される動画像データは、動画像データ設定部７０２のフィールドに指定すべき動画オブジェクトの識別子を入力することで、オブジェクト記録手段１０２経由で指定される。
【００５７】
また、７０３は動画像データの表示制御用ボタンであり、通常のビデオレコードと同様に再生、巻戻し、早送り、停止を制御する。
【００５８】
さらに、７０４は属性名と属性値を定義するための入力フィールドのグループであり、このフィールド７０４に属性名、属性値、開始時刻、終了時刻を入力することで、新しい区間オブジェクトと新しい属性テーブルが定義される。この区間オブジェクトのＩＤは自動的に生成される。
【００５９】
ここで、区間オブジェクトの生成処理を図８により述べる。
【００６０】
図８（ａ）において、最初に区間オブジェクトについて調べ（Ｓ１）、同一の区間オブジェクトがオブジェクト記録手段１０２に存在しなければ、新しい区間オブジェクトが生成される（Ｓ２）。
【００６１】
なお、区間オブジェクトの同一性は、Ｐａｒｔ−ｏｆ，Ｓｔａｒｔ，Ｅｎｄで決まる。但し、Ｓｔａｒｔ及びＥｎｄについては、時刻の誤差を許容し、例えば開始時刻（Ｓｔａｒｔ）が１秒以内の差異は同一とみなすこともできる。
【００６２】
次に新しいオブジェクトが生成、あるいは既存の区間オブジェクトが検索された後、図８（ｂ）において、属性グループについての処理が行われる。属性グループについても同一の属性名のテーブルが存在するか否かを判定し（Ｓ３）、存在しない場合のみ新たに属性テーブルが生成される（Ｓ４）。そして、属性名のテーブルが存在する場合、あるいは新たに属性テーブルが生成されると、その属性テーブルにレコードを記録する（Ｓ５）。
【００６３】
なお、開始時刻と終了時刻は、動画像データ表示部７０１に表示されている動画像の時刻に合せて、ボタン７０５の「開始」または「終了」をクリックすることで入力することもできる。時刻表示部７０６には動画像データ表示部７０１に表示されている動画像の時刻を表示する。
【００６４】
また、本実施形態において、図５に示す実施形態と同様にネットワークで接続された複数個の表示装置がある場合には、これらの表示装置にＰＣを使用して情報入力手段６０１を兼ねることもできる。
【００６５】
次に本発明の第５の実施形態について説明する。
【００６６】
本実施形態では、第１又は第２の実施形態において、出力手段１０５がデータ検索手段１０４から区間オブジェクトの列を受け取ると、この区間オブジェクトの列から区間オブジェクトの重複を取除いて出力するようにしたものである。
【００６７】
図９は区間オブジェクトの重複の様子を示すものである。
【００６８】
図９において、９０１は画像データを時間の経過に沿って表現したものであり、左側０から右側のｔｅまで広がっている。９０２及び９０３は二つの区間オブジェクトが定義する時間の区間である。すなわち、９０２はｔ１からｔ３まで、９０３はｔ２からｔ４までとなっている。
【００６９】
このように区間オブジェクトが重なり合うケースは、属性として登場人物を選び、９０１が登場人物Ａ、９０２が登場人物Ｂの映っている区間として定義され、データ検索手段１０４の検索条件として、‘登場人物’＝Ａまたは‘登場人物’＝Ｂとしたときに起り得る。
【００７０】
このケースにおいて、出力手段１０５はｔ２からｔ３までの重複を取除き、ｔ１からｔ４までのデータを出力する。
【００７１】
次に本発明の第６の実施形態について述べる。
【００７２】
第６の実施形態は、第１又は第２の実施形態において、時刻の同期した画像オブジェクトをグループとして管理するための同期オブジェクトを加えたものである。時刻の同期した画像オブジェクトは、典型的には演劇、あるいはスポーツ競技を複数のカメラで撮影した場合に作成される。また、遠隔地でテレビ会議を行った場合にも作成される。あるいはコンピュータグラフィックスによって作成される仮想的な場面を複数の視野で構成する場合にも作成される。
【００７３】
図１０はこのようなケースにおける同期オブジェクト、画像オブジェクト、区間オブジェクト及び画像データ関係を示すものである。
【００７４】
図１０において、１０００は同期オブジェクトで、Ｃｏｎｓｉｓｔ−ｏｆ属性に記述するＯｂｊｅｃｔＩＤによって、画像オブジェクト１００１及び１００２が同期することを表す。画像オブジェクト１００１及び１００２はＰａｒｔ−ｏｆ属性にそれらが同期オブジェクト１０００に属することを記述する。画像オブジェクトから同期オブジェクトへの参照は画像オブジェクトが検索されたときに、同期した他の画像オブジェクトの存在を確認するために用いることができる。画像オブジェクト１００１及び１００２は、それぞれデータ識別子として動画データ１００３及び１００４を参照する。これらの動画データの時刻は同期している。
【００７５】
１００５は、区間オブジェクトであり、時刻の区間を表す。第１の実施形態と異なり、区間オブジェクト１００１は画像オブジェクではなく、同期オブジェクト１００１をＰａｒｔ−ｏｆ属性で参照する。なお、動画オブジェクト１００１または１００２を直接参照する区間オブジェクトも存在することがある。
【００７６】
図１において、データ検索手段１０４が区間オブジェクト１００５を検索すると、出力手段１０５は動画データ１００３及び１００４を、区間オブジェクト１００５を定義する区間に従って出力する。
【００７７】
なお、動画データ１００３，１００４の記録開始時刻がずれている場合は、図１１に示すように同期オブジェクト１０００にＯｆｆｓｅｔ属性を記述することで対応する。図１１では、動画データ１００４は動画データ１００３に比べ開始時刻がｔｄ秒遅くなっている。そこで、同期オブジェクト１０００のＯｆｆｓｅｔ属性は、Ｃｏｎｓｉｓｔ−ｏｆに記述された２番目の動画オブジェクト１００２がｔｄ秒遅く始まることを表している。
【００７８】
【発明の効果】
以上述べたように本発明によれば、ディジタルアーカイブのような膨大なマルチメディアを効率的に管理することができるマルチメディアデータ管理装置を提供できる。
【図面の簡単な説明】
【図１】本発明によるマルチメディアデータ管理装置の第１の実施形態を示すブロック図。
【図２】同実施形態において、動画像データ、画像オブジェクト及び区間オブジェクトの関連を示すブロック図。
【図３】同実施形態における属性記録手段テーブルを示す図。
【図４】本発明の第２実施形態におけるメニュー画面の一例を示す図。
【図５】本発明によるマルチメディアデータ管理装置の第３の実施形態を示すブロック図。
【図６】本発明によるマルチメディアデータ管理装置の第４の実施形態を示すブロック図。
【図７】同実施形態における情報入力手段のユーザインターフェースの画面を示す図。
【図８】同実施形態において、区間オブジェクトの生成処理を示すフローチャート。
【図９】本発明の第５実施形態における区間オブジェクトの重複の様子を示す図。
【図１０】本発明の第６の実施形態において、同期オブジェクト、画像オブジェクト、区間オブジェクト及び画像データ関係を示す図。
【図１１】図１０において、動画データの開始時刻がずれている場合を示す図。
【図１２】ＤＶＤが動画像を記録する際の論理的なデータ構造を示す図。
【符号の説明】
１０１……記録手段
１０２……オブジェクト記録手段
１０３……属性記録手段
１０４……データ記録手段
１０５……出力手段
２０１……動画像データ
２０２……画像オブジェクト
２０３，２０４，２０５……区間オブジェクト
５０１……ネットワークスイッチ
５０２，５０３，５０４……表示手段
６０１……情報入力手段
７０１……動画像データ表示部
７０２……動画像データ設定部
７０３……表示制御用ボタン
７０４……入力フィールドのグループ
７０５……「開始」「終了」ボタン
１０００……同期オブジェクト
１００１，１００２……画像オブジェクト
１００３．１００４……画像データ
１００５……区間オブジェクト
【図１】
2004326166.tif 000003
【図２】
2004326166.tif 000004
【図３】
2004326166.tif 000005
【図４】
2004326166.tif 000006
【図５】
2004326166.tif 000007
【図６】
2004326166.tif 000008
【図７】
2004326166.tif 000009
【図８】
2004326166.tif 000010
【図９】
2004326166.tif 000011
【図１０】
2004326166.tif 000012
【図１１】
2004326166.tif 000013
【図１２】
2004326166.tif 000014